(57)【要約】【課題】本発明は、精米装置と糠室を一体化するコンパクトな料金式精米設備であって、更に、そのメンテナンスや、管理業者の業務をも効率的に、且つ、適格に行える設備を提供することを課題とする。【解決手段】本体ケース１内左右に精米機２等を備える機械室３と糠を収容する糠室４とを区画して配設し該機械室３と糠室４の前面には夫々左右方向へ開閉可能な開閉扉５,６を設けると共に、機械室３の開閉扉５と糠室４の開閉扉６に夫々異なる錠７,８を設け、更に、糠室４の開閉扉６側から機械室３の開閉扉５側へ牽制体９を突設し該糠室４の開閉扉６の開放時のみ機械室３の開閉扉５を開放可能に構成してなる料金式精米設備の構成とする。【選択図】  図４
2012110822.tif 000002
【特許請求の範囲】
【請求項１】
本体ケース（１）内左右に精米機（２）等を備える機械室（３）と糠を収容する糠室（４）とを区画して配設し該機械室(３)と糠室（４）の前面には夫々左右方向へ開閉可能な開閉扉（５）,（６）を設けると共に、機械室（３）の開閉扉（５）と糠室（４）の開閉扉（６）に夫々異なる錠（７）,（８）を設け、更に、糠室（４）の開閉扉（６）側から機械室（３）の開閉扉（５）側へ牽制体（９）を突設し該糠室（４）の開閉扉（６）の開放時のみ機械室（３）の開閉扉（５）を開放可能に構成してなる料金式精米設備。
【請求項２】
機械室（３）の上部空間に各種制御装置からなる制御部（１０）を設け該制御部（１０）の前面にメンテナンス用の上部開閉扉（１１）を設けると共に、機械室（３）の開閉扉（５）開放時のみに上部開閉扉（１１）を開放操作可能な開閉操作具（１２）を設けてなる請求項１記載の料金式精米設備。
【請求項３】
糠室（３）内に糠の回収を行ったことを示す管理業者用のリセット用スイッチ（１３）を設けてなる請求項１又は請求項２記載の料金式精米設備。
【発明の詳細な説明】
【技術分野】
【０００１】
本発明は、利用者が持参した籾や玄米等の穀物を精米処理する料金式精米設備に関する。
【背景技術】
【０００２】
特許文献１には、料金式精米設備として精米装置の建屋と精米時に発生する糠の回収用建屋を個別に離間して配置するものが記載されている。
このような構成にあっては、周辺に広いスペースが確保されているため、機器の保守点検作業や、料金の回収、満杯となった糠の処理等の管理業務も比較的容易に行えるものである。
【０００３】
しかしながら、上記のような構成では設備全体が大型化し、近年需要の多い都市近郊では設置スペースが確保できない欠点がある。
【先行技術文献】
【特許文献】
【０００４】
【特許文献１】特許第４０３３７１７号公報
【発明の概要】
【発明が解決しようとする課題】
【０００５】
この発明は、上記の如き欠点を解消し精米装置と糠室を一体化するコンパクトな料金式精米設備を提供し、更に、そのメンテナンスや、管理業者の業務をも効率的に、且つ、適格に行える設備を提供することを課題とする。
【課題を解決するための手段】
【０００６】
この発明は、かかる技術的課題を解決するために次のような技術的手段を講じた。すなわち、請求項１の発明では、本体ケース１内左右に精米機２等を備える機械室３と糠を収容する糠室４とを区画して配設し該機械室３と糠室４の前面には夫々左右方向へ開閉可能な開閉扉５,６を設けると共に、機械室３の開閉扉５と糠室４の開閉扉６に夫々異なる錠７,８を設け、更に、糠室４の開閉扉６側から機械室３の開閉扉５側へ牽制体９を突設し該糠室４の開閉扉６の開放時のみ機械室３の開閉扉５を開放可能に構成してなる料金式精米設備とする。
【０００７】
請求項２の発明では、機械室３の上部空間に各種制御装置からなる制御部１０を設け該制御部１０の前面にメンテナンス用の上部開閉扉１１を設けると共に、機械室３の開閉扉５開放時のみに上部開閉扉１１を開放操作可能な開閉操作具１２を設けてなる請求項１記載の料金式精米設備とする。
【０００８】
請求項３の発明では、糠室３内に糠の回収を行ったことを示す管理業者用のリセット用のスイッチ１３を設けてなる請求項１又は請求項２記載の料金式精米設備の構成とする。
【発明の効果】
【０００９】
請求項１記載の発明においては、本体ケース１内左右に精米機２等を備える機械室３と糠を収容する糠室４とを区画して配設し該機械室３と糠室４の前面には夫々左右方向へ開閉可能な開閉扉５,６を設けると共に、機械室３の開閉扉５と糠室４の開閉扉６に夫々異なる錠７,８を設け、更に、糠室４の開閉扉６側から機械室３の開閉扉５側へ牽制体９を突設し該糠室４の開閉扉６の開放時のみ機械室３の開閉扉５を開放可能に構成したものであるから、従来技術に比し全体をコンパクトに構成して恰も自動販売機の如き小さな設置スペースとなし、都市近郊等の地価の高い地域にも設置可能である。
【００１０】
又、設備のメンテナンスや料金の回収を行う管理業者と、糠を再利用するため糠の回収のみを行う糠回収業者を各別に設定しても、糠回収業者は糠室４の錠８に合う鍵のみを持てばよく、精米運転の利用者と無用なトラブルを起こさない。
【００１１】
更に、機械室３の開閉扉５を開ける時には、まず糠室４の錠８を解錠し糠室４の開閉扉６を開放し牽制体９の規制を解除した後に、機械室３の錠７を別の鍵を使って解錠し開閉扉５を開放できるものであるから、二種類の鍵と二重の工程を必要とし料金等の貴重品の管理を安全に行うことができ、防犯性も向上する。
【００１２】
請求項２記載の発明では、機械室３の上部空間に各種制御装置からなる制御部１０を設け該制御部１０の前面にメンテナンス用の上部開閉扉１１を設けると共に、機械室３の開閉扉５開放時のみに上部開閉扉１１を開放操作可能な開閉操作具１２を設けたものであるから、この上部開閉扉１１に専用の錠を設ける必要がなく、低コストで、防水性にも優れ、且つ、この部分に看板機能を備える際にデザイン性の向上を図ることができる。
【００１３】
請求項３記載の発明では、糠室３内に糠の回収を行ったことを示す管理業者用のリセットスイッチ１３を設けたものであるから、糠室４の満杯を報知された糠回収業者は糠室４の錠８を操作して開閉扉６のみを開放することにより、糠の回収作業と糠室４の満杯報知機能のリセット操作が可能であり、機械室３の開閉の必要がない。
【図面の簡単な説明】
【００１４】
【図１】正面図である。
【図２】側面図である。
【図３】各扉を開放状態の正面図である。
【図４】平面から見た開閉扉の開閉を示す図である。
【図５】機械室３の左側断面図である。
【図６】機械室３の右側断面図である。
【発明を実施するための形態】
【００１５】
この料金式精米設備は、地価の高い都市近郊にあっても軒先等にコンパクトに設置可能な設備であって、又、保守点検等の管理作業を効率的に且つ防犯性等も考慮するものである。
【００１６】
本体ケース１は左右幅広で上下に長い箱型の直方体状をなし、本体ケース１内左右に精米機２等を備える広幅の機械室３と糠を収容する狭幅の糠室４とを区画して配設し該機械室３と糠室４の前面には夫々中央から左右方向へ向け開放可能な開閉扉５,６を設けてある。１４,１４は各扉５,６の回動中心となるヒンジである。
【００１７】
機械室３の開閉扉５と糠室４の開閉扉６には夫々異なる錠７,８を設け、更に、糠室４の開閉扉６側から機械室３の開閉扉５側へ牽制体９を突設し該糠室４の開閉扉６の開放時のみ機械室３の開閉扉５を開放可能に構成してある。
【００１８】
牽制体９の具体構造を説明すると、図４に示すように糠室４の開閉扉６の左端４ａと機械室３の開閉扉５の右端の接合部５ａに開閉扉６側が前方に位置する重合部９を設け、糠室４の開閉扉６が機械室３の開閉扉５の開閉を牽制すべく構成してある。図４の機械室３の開閉扉５と糠室４の開閉扉６は閉じている状態を仮想線で示し、観音扉状に開いた状態を実線で示している。
【００１９】
なお、牽制体９は、開放する糠室４内側から操作可能で、機械室３の開閉扉５側へ出退自在の操作部材９によって開閉扉５の開放を牽制する構成でもよい。
従って、設備のメンテナンスや料金の回収を行う管理業者と、糠を再利用するため糠の回収のみを行う糠回収業者を各別に設定した場合にも、糠回収業者は糠室４の錠８に合う鍵のみを持てばよく、精米運転の利用者と無用なトラブルを起こさない。
【００２０】
更に、機械室３の開閉扉５を開ける時には、まず糠室４の錠８を解錠し糠室４の開閉扉６を開放することにより牽制体９の規制を解除でき、次に機械室３の錠７を別の鍵を使って解錠し開閉扉５を開放する。従って、機械室３の開放には二種類の鍵と二重の工程を必要とし料金等の貴重品の管理を安全に行うことができ、防犯性も向上する。
【００２１】
機械室３の開閉扉５面の左側上部には、利用者が米供給時に開閉する供給扉１５を設け、その右側上部には操作表示部１６を、又、その操作表示部１６の下方には内装する精米機２から排出される白米の取出しホッパー１７と白米取出しシュート１８を設けてある。
【００２２】
供給扉１５は隣接の操作表示部１６との境界部に設置する縦方向のヒンジ１９.１９を中心に右方向へ開閉可能で、料金投入口２０へ料金を投入することにより開放可能である。
【００２３】
操作表示部１６には、精白度選択スイッチ２１を精白度に応じ複数個配置し、又、２２は作業工程表示ランプであり、該精米設備の作業工程の経過を表示する。
機械室３の上部空間には各種制御装置からなる制御部１０を設けてあり、該制御部１０の前面にメンテナンス用の上部開閉扉１１を設けると共に、機械室３の開閉扉５開放時のみに上部開閉扉１１を開放操作可能な開閉操作具１２を設けてある。
【００２４】
該開閉操作具１２は、機械室３内のピン２３を中心に回動可能に構成し、その先端を上方に回動位置させた時上部開閉扉１１内に設ける規制板２４の前側に接当して該上部開閉扉１１の前方への回動を規制する。２５は上部開閉扉１１の回動中心となるヒンジである。
【００２５】
従って、この上部開閉扉１１に専用の錠を設ける必要がなく、低コストで、防水性にも優れ、且つ、この部分に看板機能を備える際にデザイン性の向上を図ることができる。なお、上部開閉扉１１の裏側にも第二制御部１０ａを設けており、上部開閉扉１１を閉じると制御部１０と第二制御部１０ａとが対向する位置になるよう構成している。そのため制御部を集中配置することができる。また、通常の機械室３の点検時には上部開閉扉１１を開ける必要が無いため雨天時の点検に制御部を濡らさないようにすることができる。また、制御部１０及び第二制御部１０ａの点検時には上部開閉扉１１を開ければいずれも露出するため、制御部全体を見渡せ、メンテナンス等を行ない易くすることができる。
【００２６】
次に、本体ケース１の内部を説明する。機械室３の供給扉１５を開放すると内部に投入空間２６が設けてあり、その下方に投入ホッパー２７が設けてある。２８は玄米有無センサーであり、投入料金に対応する設定作業時間経過後、玄米が投入ホッパー１内に残っていることを該センサーが検出した場合に追加料金の投入を案内する。
【００２７】
投入ホッパー１の下方には石抜き機２９を設けてあり、該石抜き機２９は前側の石排出路３０側を高く傾斜した状態で揺動され通気性を有する選別棚３１と、該選別棚３１を駆動するモータ３２及び駆動装置３３と、該選別棚３１に下方から送風するファン３４等から構成してある。揺動選別棚３１の傾斜下方側には選別される玄米の取出通路３５を設けてあり、その下端は昇降機３６に連通してある。
【００２８】
昇降機３６はモータ３７により駆動され、その上端の排出シュート３８から精米機２のタンク３９へ供給可能に構成してある。
精米機２はモータ４０により伝動装置４１を介して駆動される公知の摩擦式のものであり、下方の排出口４２から排出される白米を白米ホッパー１７へ供給し貯留する。白米ホッパー１０の下部には基端を中心に先端を下方へ回動可能の取出シュート１８を設けてあり、該取出シュート１８を回動させることにより白米ホッパー１７内の白米を本体ケース１外へ案内し、利用者が持参する袋等に回収可能に構成してある。
【００２９】
４３はファンであり、その吸気側を精米機２周囲の糠室に吸気通路４４を介して連通し、その排気側を糠室３４上部に設置するサイクロン４５外周に沿って連通してある。従って、この渦巻き流により比重選別される糠は下方の糠袋４６に回収可能に構成してある。
【００３０】
この糠室４前面の開閉扉６は、ヒンジ１４．１４中心に右方へ回動開放でき、糠回収業者は必要に応じ糠袋４６を新しいものと交換し糠を回収する。４７は糠袋４６の満杯検出センサーであり、該センサー４７の検知時に操作表示部１６に糠回収業者向けに糠袋４６の交換の必要を報知し、又、糠回収業者は糠袋４６の交換を行った時には糠室４内のリセットスイッチ１３を操作することにより、満杯検出センサー４７の検出結果をリセットできる。
【００３１】
又、供給扉１５は、料金投入口２０からの料金投入により開放可能であり、玄米投入後供給扉１５を閉鎖することによりにより操作表示部１６の精白度選択スイッチ２１が点灯するよう構成してあり。次に該精白度選択スイッチ２１を選択すると設備が駆働され、投入料金に対応する時間が経過すると停止する。この時、玄米有無センサー２８が検出している場合には料金の追加投入を促し、投入されると再び設備が駆動され作業を続け、玄米有無センサー２８が玄米の無を検出すると所定時間の終了処理工程経過後に作業を終了する。  
【符号の説明】
【００３２】
１    本体ケース
２    精米機
３    機械室
４    糠室
５    開閉扉
６    開閉扉
７    錠
８    錠
９    牽制体
１０    制御部
１１    上部開閉扉
１２    開放操作具
１３    スイッチ
【図１】
2012110822.tif 000003
【図２】
2012110822.tif 000004
【図３】
2012110822.tif 000005
【図４】
2012110822.tif 000006
【図５】
2012110822.tif 000007
【図６】
2012110822.tif 000008